(57)【特許請求の範囲】
【請求項１】
サイトの初期画面を生成するために利用される表示データを受信する通信制御部と、
複数のサイトのそれぞれについて、サイト種別と、アイコン画像と、前記サイトの初期画面を生成するために利用される表示データの所在を示す１又は複数のデータ所在情報からなる初期画面データ所在情報とを対応づけて格納するとともに、前記複数のサイトのそれぞれについて、前記表示データを変換するための変換アルゴリズムを、前記１又は複数のデータ所在情報の各々と対応づけて格納している外部メモリを着脱可能に保持するスロット部と、
データ処理部と、
表示部と
を備え、
前記データ処理部は、
前記スロット部に保持された前記外部メモリから、前記アイコン画像を読み出し、
前記表示部に、前記アイコン画像を、ユーザによって選択可能に表示させ、
前記スロット部に保持された前記外部メモリから、ユーザによって選択された前記アイコン画像に対応する前記１又は複数のデータ所在情報を読み出し、
該１又は複数のデータ所在情報を前記通信制御部に供給することにより、該１又は複数のデータ所在情報によって特定される表示データを要求し、
前記通信制御部から前記要求した表示データを受け取り、前記スロット部に保持された前記外部メモリから前記表示データを変換するための変換アルゴリズムを読み出して保持し、該変換アルゴリズムに従って該表示データを変換し、
前記表示部は、前記データ処理部が変換した該表示データを表示することを特徴とする、
情報閲覧装置。
【請求項２】
前記データ処理部は、前記変換アルゴリズムに従って、前記通信制御部が受信した前記初期画面データ所在情報によって特定されるデータを変換し、ユーザによって選択された前記アイコン画像に対応する初期画面を生成する、
請求項１に記載の情報閲覧装置。
【請求項３】
前記初期画面は、前記１又は複数のデータ所在情報が対応付けられた表示エリアを含み、
前記データ処理部は、前記表示エリアがユーザによって選択された場合に、選択された前記表示エリアに対応付けられているデータ所在情報を前記通信制御部に供給することにより、前記表示エリアに対応付けられているデータ所在情報によって特定される表示データを要求する、
請求項２に記載の情報閲覧装置。
【請求項４】
前記データ処理部は、
前記外部メモリが前記スロット部に装着された場合、または、前記外部メモリが前記スロット部に保持された状態で電源が投入された場合に、前記表示部に、前記アイコン画像を、ユーザによって選択可能に表示させる、
請求項１から請求項３までの何れか一項に記載の情報閲覧装置。
【請求項５】
前記表示部は、上部表示パネルおよび下部表示パネルを有し、
前記データ処理部は、前記変換アルゴリズムに従って、前記通信制御部が受信した前記表示データを、前記上部表示パネルおよび前記下部表示パネルのいずれに表示させるかを決定する、
請求項１から請求項４までの何れか一項に記載の情報閲覧装置。
【請求項６】
前記スロット部は、
前記外部メモリと、通信機能を有する通信部とを有するカセットを着脱可能に保持し、
前記通信部と前記データ処理部との間のデータの授受を中継する、
請求項１から請求項５までの何れか一項に記載の情報閲覧装置。
【請求項７】
前記通信制御部は、前記データ所在情報の変更履歴を受信し、
前記データ処理部は、前記変更履歴に対応させて、前記スロット部に保持された前記外部メモリに格納されている前記データ所在情報を変更する、
請求項１から請求項６までの何れか一項に記載の情報閲覧装置。
【請求項８】
請求項１から請求項６までの何れか一項に記載の情報閲覧装置と、
前記情報閲覧装置と通信網を介して情報をやり取りするデータ所在情報追跡装置と、
を備え、
前記データ所在情報追跡装置は、前記データ所在情報の変更を監視して、前記データ所在情報の変更履歴を記録し、
前記通信制御部は、前記データ所在情報の変更履歴を受信し、
前記データ処理部は、前記変更履歴に対応させて、前記スロット部に保持された前記外部メモリに格納されている前記データ所在情報を変更する、
情報提供システム。
【発明の詳細な説明】
【技術分野】
【０００１】
本発明は、情報閲覧装置に関する。本発明は、特に、情報提供装置から取得した表示データを変換アルゴリズムに従って変換して表示する情報閲覧装置に関する。
【背景技術】
【０００２】
無線通信機能およびブラウザ機能を有するゲーム装置が知られている。このようなゲーム装置は、無線通信機能によりインターネットに接続して、インターネット上で公開されているデータをユーザに閲覧させることができる。
【特許文献１】特開２００７−１３０３１２号公報
【発明の開示】
【発明が解決しようとする課題】
【０００３】
しかしながら、インターネット上で公開されているデータは、パーソナルコンピュータに接続されている表示モニタのような比較的大きな画面で閲覧させることを目的として作成されている。したがって、ゲーム装置に実装されているような小さな表示パネルが、インターネット上で公開されているデータを表示すると、画像、文字が小さく、非常に閲覧し難くなってしまう。
【課題を解決するための手段】
【０００４】
上記課題を解決するために、本発明の一形態に係る情報閲覧装置は、表示データを受信する通信制御部と、表示データを変換するための変換アルゴリズムを、表示データの所在を示すデータ所在情報に対応づけて格納している外部メモリを着脱可能に保持するスロット部と、変換アルゴリズムに従って表示データを変換するデータ処理部と、データ処理部が変換した表示データを表示する表示部とを備える。
【０００５】
なお、上記の発明の概要は、本発明の必要な特徴の全てを列挙したものではない。また、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００７】
図１は、一実施形態に係る情報提供システム１０の構成の一例を示す。情報提供システム１０は、情報閲覧装置１００、情報閲覧装置１０２、外部メモリ１０４、情報提供装置１０６、および通信網１０８を備える。情報閲覧装置１００および情報閲覧装置１０２は、通信網１０８を介して情報提供装置１０６と接続されており、情報提供装置１０６から表示データを受信する。情報閲覧装置１００および情報閲覧装置１０２は、情報提供装置１０６から受信した表示データを表示してユーザに閲覧させる。
【０００８】
情報閲覧装置１００は、通信機能およびブラウザ機能を有するゲーム装置であってよい。情報閲覧装置１００は、通信機能として、無線通信機能を有してよく、携帯電話の機能を有してもよい。外部メモリ１０４は、情報閲覧装置１００に着脱可能な記録メディアであってよい。情報閲覧装置１００がゲーム装置である場合には、外部メモリ１０４は、ゲームソフトが記録されたカセットと同一の構造を有するカセットであってよい。
【０００９】
情報閲覧装置１０２は、ブラウザアプリケーションがインストールされたパーソナルコンピュータであってよい。通信網１０８は、インターネットであってよく、情報提供装置１０６は、Ｗｅｂサーバであってよい。
【００１０】
情報提供装置１０６は、情報閲覧装置１０２にインストールされているブラウザアプリケーションで表示可能な表示データを格納している。情報提供装置１０６は、情報閲覧装置１００または情報閲覧装置１０２からの表示データの要求に応じて、要求元が情報閲覧装置１００および情報閲覧装置１０２のいずれであるかに関わらず、要求元である情報閲覧装置１００または情報閲覧装置１０２に同一の表示データを送信する。
【００１１】
情報閲覧装置１０２は、ユーザによって指定されたデータ所在情報で示される所在に格納されている表示データを、情報提供装置１０６に対して要求する。データ所在情報は、表示データの所在を示す情報であり、例えば、ＵＲＬ（Ｕｎｉｆｏｒｍ  Ｒｅｓｏｕｒｃｅ  Ｌｏｃａｔｏｒ）であってよい。情報閲覧装置１０２は、情報提供装置１０６から受信した表示データを、ブラウザアプリケーションで表示してユーザに閲覧させる。つまり、情報閲覧装置１０２は、表示データを作成者によって予め定められた表示画面の形式で、情報提供装置１０６から受信した表示データを表示する。
【００１２】
情報閲覧装置１００は、まず、情報閲覧装置１００に装着されている外部メモリ１０４から、データ所在情報が対応づけられたアイコン画像を読み出して、ユーザによって選択可能に表示する。情報閲覧装置１００は、ユーザによって選択されたアイコン画像に対応するデータ所在情報で示される所在に格納されている表示データを、情報提供装置１０６に対して要求する。外部メモリ１０４は、複数のサイトのそれぞれのアイコン画像を格納していてよく、情報閲覧装置１００は、複数のアイコン画像の中からユーザによって選択されたアイコン画像に対応するデータ所在情報で示される所在に格納されている表示データを、情報提供装置１０６に対して要求してよい。
【００１３】
また、情報閲覧装置１００は、情報閲覧装置１００に装着されている外部メモリ１０４から、表示データの変換アルゴリズムを読み出す。情報閲覧装置１００は、情報提供装置１０６から受信した表示データを、外部メモリ１０４から読み出した変換アルゴリズムに従って変換する。そして、情報閲覧装置１００は、変換された表示データを表示してユーザに閲覧させる。つまり、情報閲覧装置１００は、情報閲覧装置１０２によって表示される表示画面の形式（即ち、表示データを作成者によって予め定められた表示画面の形式）とは異なる表示画面の形式で、情報提供装置１０６から受信した表示データを表示する。
【００１４】
本実施形態に係る情報閲覧装置１００によれば、情報閲覧装置１００に外部メモリ１０４が装着されると、外部メモリ１０４の製造者によって予め外部メモリ１０４に格納されているデータ所在情報を、アイコン画像で選択可能に表示してユーザに選択させる。したがって、ユーザは、ブラウザアプリケーションを起動したり、アクセスするサイトを探したりすることなく、情報閲覧装置１００に表示されたサイトを選択するというようなワンオペレーションによって、希望するサイトにアクセスできる。例えば、インターネットを介して提供されているショッピングサイト、オークションサイト、天気予報サイト、ソーシャルネットワーキングサイト、画像配信サイト、音楽配信サイト等のそれぞれを、あたかも１つのアプリケーションを実行しているかのように、ユーザに利用させることができる。
【００１５】
また、本実施形態に係る情報閲覧装置１００によれば、情報提供装置１０６から受信した表示データを、情報閲覧装置１００の表示パネルの構造に適合する表示画面の形式に変換して表示する。したがって、例えば、情報閲覧装置１００が、小さい表示パネルまたは複数の表示パネルを有するゲーム装置であっても、そのような表示パネルで閲覧し易い表示画面の形式で、ユーザに表示データを閲覧させることができる。
【００１６】
図２は、本実施形態に係る情報閲覧装置１００および外部メモリ１０４の機能構成の一例を示す。情報閲覧装置１００は、表示部２００、入力部２０２、データ処理部２０４、スロット部２０６、通信部２０８、および通信制御部２１０を備える。表示部２００は、上部表示パネル２１２および下部表示パネル２１４を有する。入力部２０２は、タッチパネル２１６および操作ボタン２１８を有する。
【００１７】
表示部２００は、データ処理部２０４から供給された表示データを、上部表示パネル２１２または下部表示パネル２１４に表示する。情報閲覧装置１００は、折り畳み式の筐体を有してよく、上部表示パネル２１２および下部表示パネル２１４は、ヒンジ機構を挟んで対向する位置に設けられてよい。
【００１８】
入力部２０２は、タッチパネル２１６または操作ボタン２１８によりユーザからの入力を受け付け、データ処理部２０４に供給する。タッチパネル２１６は、上部表示パネル２１２および下部表示パネル２１４の少なくとも一方に重ねられて配置されてよく、ユーザの指、付属のスタイラスペン等で上部表示パネル２１２または下部表示パネル２１４が加圧されることによって、ユーザからの入力を受け付ける。操作ボタン２１８は、電源ボタン、十字キー等であってよく、上部表示パネル２１２または下部表示パネル２１４の周囲に配置されてよい。
【００１９】
スロット部２０６は、ユーザによって挿入された外部メモリ１０４を着脱可能に保持する。スロット部２０６は、情報閲覧装置１００と外部メモリ１０４とを機械的および電気的に接続して、外部メモリ１０４とデータ処理部２０４との間のデータの授受を中継する。
【００２０】
通信部２０８は、通信網１０８を介して情報提供装置１０６に接続される。通信制御部２１０は、通信部２０８を介して情報提供装置１０６とデータをやりとりする。通信制御部２１０は、データ処理部２０４からの要求に応じて、通信部２０８から情報提供装置１０６にデータを送信する。また、通信制御部２１０は、通信部２０８を介して情報提供装置１０６からデータを受信してデータ処理部２０４に供給する。
【００２１】
データ処理部２０４は、外部メモリ１０４に格納されているアイコン画像、データ所在情報、および変換アルゴリズムを、外部メモリ１０４から読み出す。データ処理部２０４は、外部メモリ１０４から読み出したアイコン画像を表示部２００に供給して表示させる。
【００２２】
また、データ処理部２０４は、ユーザによって指定されたアイコン画像に対応するデータ所在情報を通信制御部２１０に供給することにより、データ所在情報によって特定される表示データを要求する。データ処理部２０４は、表示データの要求に応じて通信部２０８が受信した表示データを、通信制御部２１０から受け取る。データ処理部２０４は、外部メモリ１０４から読み出した変換アルゴリズムに従って、通信制御部２１０から受け取った表示データを変換する。データ処理部２０４は、変換した表示データを表示部２００に供給して表示させる。
【００２３】
本実施形態に係る情報閲覧装置１００によれば、データ処理部２０４が、情報提供装置１０６から受信した表示データを変換して表示部２００に表示させる。したがって、表示部２００の構造に適合する表示画面の形式で、ユーザに表示データを閲覧させることができる。
【００２４】
図３は、本実施形態に係る情報閲覧装置１００およびカセット３００の機能構成の変形例を示す。なお、図２および図３において、同一の構成要素には同一の符号が付されており、以下に説明する部分を除き、同一の構成要素は同一の機能および構造を有してよい。
【００２５】
図２に示されたスロット部２０６は、外部メモリ１０４を着脱可能に保持する。一方で、図３に示されるスロット部２０６は、外部メモリ１０４および通信部２０８を有するカセット３００を着脱可能に保持する。スロット部２０６は、情報閲覧装置１００とカセット３００とを機械的および電気的に接続して、外部メモリ１０４および通信部２０８とデータ処理部２０４および通信制御部２１０との間のデータの授受を中継する。
【００２６】
図２に示された通信制御部２１０は、情報閲覧装置１００が備える通信部２０８を介して情報提供装置１０６とデータをやりとりする。一方で、図３に示される通信制御部２１０は、カセット３００が有する通信部２０８を介して情報提供装置１０６とデータをやりとりする。
【００２７】
本実施形態の変形例によれば、通信機能を有さない情報閲覧装置１００と、通信機能を有するカセット３００とを別個に販売できる。したがって、通信機能の利用を希望しないユーザに対して、安価に情報閲覧装置１００を提供できるとともに、通信機能の利用を希望するユーザに対して、通信機能を有するカセット３００を提供できる。
【００２８】
図４は、本実施形態に係る外部メモリ１０４が格納しているデータの一例を示す。外部メモリ１０４は、複数のサイトのそれぞれに対して、ユーザにサイトを閲覧させるための情報が記述されたサイト情報４００を格納している。外部メモリ１０４は、例えば、ショッピングサイト、オークションサイト、天気予報サイト、ソーシャルネットワーキングサイト、画像配信サイト、音楽配信サイト等のそれぞれをユーザに閲覧させるための情報が記述されたサイト情報４００を格納している。
【００２９】
複数のサイト情報４００のそれぞれは、サイト種別４０２、アイコン画像４０４、および初期画面データ所在情報４０６を含む。サイト種別４０２は、ショッピング、オークション、天気予報、ソーシャルネットワーキング、画像配信、音楽配信等のサイトの種類を示す情報であってよい。アイコン画像４０４は、サイト種別４０２を示す画像であってよく、ユーザによって選択可能なアイコンとして表示部２００に表示される。初期画面データ所在情報４０６は、ユーザによって選択されたアイコンのサイトの初期画面を生成するために利用される表示データのデータ所在情報であってよい。
【００３０】
サイト情報４００は、複数の初期画面データ所在情報４０６を含んでよい。ユーザによって選択されたアイコンのサイトの初期画面を生成するために利用される表示データが、複数のデータ所在情報に分散している場合には、複数のデータ所在情報のそれぞれが示す複数の表示データを組み合わせて初期画面が生成されてよい。
【００３１】
また、複数のサイト情報４００のそれぞれは、複数のデータ所在情報４０８のそれぞれに対応づけて、データ所在情報４０８で示される所在に格納されている複数の表示データのそれぞれを変換するための複数の変換アルゴリズム４１０を含む。データ所在情報４０８は、サイト種別４０２で示されるサイトを利用するために利用される表示データの所在を示す。変換アルゴリズム４１０は、情報提供装置１０６から送信される表示データを変換するためのルールを示す。データ所在情報４０８が指定されることによって表示データが要求された場合に、情報提供装置１０６から送信される表示データのそれぞれについて、変換アルゴリズムが定められている。
【００３２】
変換アルゴリズム４１０は、表示データの画像の変更を規定するルールであってよい。例えば、情報提供装置１０６から送信される画像を、外部メモリ１０４に格納されている画像に置き換えることを規定するルールであってよい。また、変換アルゴリズム４１０は、表示データの表示位置の変更を規定するルールであってよい。例えば、上部表示パネル２１２および下部表示パネル２１４のいずれに表示させるかを規定するルールであってもよく、上部表示パネル２１２または下部表示パネル２１４の中の表示位置を規定するルールであってもよい。
【００３３】
また、変換アルゴリズム４１０は、表示サイズ、表示色等の変換を規定するルールであってよい。また、変換アルゴリズム４１０は、表示データを表示させないことを規定するルールであってよい。例えば、情報提供装置１０６から送信される広告の表示データを表示させないことを規定するルールであってよい。
【００３４】
本実施形態に係る情報閲覧装置１００によれば、外部メモリ１０４に格納されている変換アルゴリズム４１０に従って、情報提供装置１０６から送信される表示データを変換して表示部２００に表示させる。したがって、パーソナルコンピュータで閲覧させるために作成された表示データを、ゲーム装置で閲覧し易いように変換して表示できる。さらには、パーソナルコンピュータに表示させることが望まれている表示データであるが、ゲーム装置に表示させることが望まれていない表示データを表示させないことで、ゲーム装置によるＷｅｂページの閲覧におけるユーザビリティを向上させることができる。
【００３５】
図５は、本実施形態に係る情報閲覧装置１００の動作フローおよび表示部２００の表示画面の一例を示す。情報閲覧装置１００に外部メモリ１０４またはカセット３００がされた状態で、情報閲覧装置１００に電源が投入されると、データ処理部２０４は、外部メモリ１０４に格納されている複数のサイト情報４００のアイコン画像４０４を、外部メモリ１０４から取得する（Ｓ５００）。データ処理部２０４は、複数のアイコン画像４０４を含むサイト選択画面５５０を表示部２００に表示させる（Ｓ５０２）。表示部２００は、上部表示パネル２１２に複数のアイコン画像４０４を表示して、下部表示パネル２１４に「サイトを選択してください。」のようなユーザへのメッセージを表示してもよい。
【００３６】
アイコン画像４０４が、タッチパネル２１６または操作ボタン２１８を用いてユーザによって選択されると（Ｓ５０４）、データ処理部２０４は、選択されたアイコン画像４０４のサイト情報４００に含まれる初期画面データ所在情報４０６を、外部メモリ１０４から取得する（Ｓ５０６）。通信制御部２１０は、データ処理部２０４が取得した初期画面データ所在情報４０６で示される所在に格納されている表示データを、情報提供装置１０６に対して要求する（Ｓ５０８）。
【００３７】
通信制御部２１０が、通信部２０８を介して情報提供装置１０６から表示データを受信すると（Ｓ５１０）、データ処理部２０４は、受信した表示データの変換アルゴリズム４１０を、外部メモリ１０４から取得する（Ｓ５１２）。データ処理部２０４は、取得した変換アルゴリズム４１０に従って、通信制御部２１０が受信した表示データを変換して（Ｓ５１４）、初期画面５６０または初期画面５７０を表示部２００に表示させる（Ｓ５１６）。
【００３８】
初期画面５６０は、Ｓ５０４においてショッピングサイトのアイコン画像４０４が選択された場合の表示画面例を示す。表示部２００は、上部表示パネル２１２に商品一覧を表示して、下部表示パネル２１４に注文入力フォームを表示してよい。初期画面５７０は、Ｓ５０４において天気予報サイトのアイコン画像４０４が選択された場合の表示画面例を示す。表示部２００は、上部表示パネル２１２に全国の天気予報を表示して、下部表示パネル２１４に特定の地域の天気予報を表示してよい。
【００３９】
表示部２００に初期画面５６０または初期画面５７０を表示させるべく、外部メモリ１０４は、１つのサイト情報４００に対して、複数の初期画面データ所在情報４０６を格納してよい。例えば、ショッピングサイトの初期画面５６０を表示させるべく、外部メモリ１０４は、商品一覧の表示データの初期画面データ所在情報４０６と、注文入力フォームの表示データの初期画面データ所在情報４０６とを格納している。また、天気予報サイトの初期画面５７０を表示させるべく、外部メモリ１０４は、全国の天気予報の表示データの初期画面データ所在情報４０６と、特定の地域の天気予報の表示データの初期画面データ所在情報４０６とを格納している。これにより、データ処理部２０４は、複数の初期画面データ所在情報４０６のそれぞれで示される所在に格納されている複数の表示データを組み合わせて初期画面５６０または初期画面５７０を生成できる。
【００４０】
初期画面５６０または初期画面５７０において、データ所在情報４０８が対応づけられている表示エリアが、タッチパネル２１６または操作ボタン２１８を用いてユーザによって選択される（Ｓ５１８）。通信制御部２１０は、選択された表示エリアに対応づけられているデータ所在情報４０８で示される所在に格納されている表示データを、情報提供装置１０６に対して要求する（Ｓ５０８）。
【００４１】
通信制御部２１０が、通信部２０８を介して情報提供装置１０６から表示データを受信すると（Ｓ５１０）、データ処理部２０４は、受信した表示データの変換アルゴリズム４１０を、外部メモリ１０４から取得する（Ｓ５１２）。データ処理部２０４は、取得した変換アルゴリズム４１０に従って、通信制御部２１０が受信した表示データを変換して（Ｓ５１４）、初期画面５６０または初期画面５７０を更新して表示部２００に表示させる（Ｓ５１６）。
【００４２】
例えば、初期画面５６０において、商品一覧の中の商品の表示エリアがユーザによって選択された場合（Ｓ５１８）、通信制御部２１０は、選択された商品の表示エリアに対応づけられているデータ所在情報４０８で示される所在に格納されている表示データを、情報提供装置１０６に対して要求する（Ｓ５０８）。通信制御部２１０が、ユーザによって選択された商品の詳細情報の表示データを受信すると（Ｓ５１０）、データ処理部２０４は、受信した表示データの変換アルゴリズム４１０を、外部メモリ１０４から取得して（Ｓ５１２）、取得した変換アルゴリズム４１０に従って、商品の詳細情報の表示データを変換する（Ｓ５１４）。データ処理部２０４は、初期画面５６０を更新して、商品の詳細情報の表示データを表示部２００に表示させる（Ｓ５１６）。表示部２００は、下部表示パネル２１４に表示している注文入力フォームを表示したまま、上部表示パネル２１２に表示している商品一覧を、商品の詳細情報に変更してもよい。
【００４３】
例えば、初期画面５７０において、全国の天気予報の中の特定の地域の表示エリアがユーザによって選択された場合（Ｓ５１８）、通信制御部２１０は、選択された地域の表示エリアに対応づけられているデータ所在情報４０８で示される所在に格納されている表示データを、情報提供装置１０６に対して要求する（Ｓ５０８）。通信制御部２１０が、ユーザによって選択された地域の天気予報の表示データを受信すると（Ｓ５１０）、データ処理部２０４は、受信した表示データの変換アルゴリズム４１０を、外部メモリ１０４から取得して（Ｓ５１２）、取得した変換アルゴリズム４１０に従って、地域の天気予報の表示データを変換する（Ｓ５１４）。データ処理部２０４は、初期画面５７０を更新して、ユーザによって選択された地域の表示データを表示部２００に表示させる（Ｓ５１６）。表示部２００は、上部表示パネル２１２に表示している全国の天気予報を表示したまま、下部表示パネル２１４に表示している特定の地域の天気予報を、選択された地域の天気予報に変更してもよい。
【００４４】
本実施形態に係る情報閲覧装置１００によれば、情報提供装置１０６から受信した表示データを、表示部２００の構造に応じた表示画面の形式で表示できる。したがって、表示データを作成者によって想定されている構造とは異なる構造の表示部２００に表示データ表示させる場合であっても、ユーザが閲覧し易いように表示できる。
【００４５】
図６は、本実施形態に係る情報提供システム１０の構成の第１変形例を示す。なお、図１および図６において、同一の構成要素には同一の符号が付されており、以下に説明する部分を除き、同一の構成要素は同一の機能および構造を有してよい。
【００４６】
図１から図５で説明した外部メモリ１０４は、データ所在情報４０８に対応づけて、変換アルゴリズム４１０を格納している。そして、データ処理部２０４は、外部メモリ１０４から取得した変換アルゴリズム４１０に従って、情報提供装置１０６から受信した表示データを変換して表示部２００に表示させる。しかしながら、情報閲覧装置１００および外部メモリ１０４と情報提供装置１０６とが異なる事業者によって提供される場合には、情報提供装置１０６においてデータ所在情報が変更され、外部メモリ１０４が格納しているデータ所在情報と整合が取れなくなる可能性が考えられる。
【００４７】
そこで、本実施形態の第１変形例に係る情報提供システム１０は、データ所在情報追跡装置６００を備える。データ所在情報追跡装置６００は、通信網１０８を介して情報提供装置１０６および情報閲覧装置１００と接続されている。データ所在情報追跡装置６００は、通信網１０８を介して情報閲覧装置１０２と接続されていてもよい。
【００４８】
データ所在情報追跡装置６００は、情報提供装置１０６が提供している表示データのデータ所在情報を追跡する。データ所在情報追跡装置６００は、データ所在情報の変更を監視して、データ所在情報の変更履歴を記録する。そして、データ所在情報追跡装置６００は、情報閲覧装置１００の問い合わせに対応して、データ所在情報の変更履歴を情報閲覧装置１００に提供する。情報閲覧装置１００は、データ所在情報追跡装置６００から提供されたデータ所在情報の変更履歴に対応させて、外部メモリ１０４に格納されている初期画面データ所在情報４０６およびデータ所在情報４０８を変更する。
【００４９】
本実施形態の第１変形例に係る情報提供システム１０よれば、情報提供装置１０６におけるデータ所在情報の変更に合わせて、外部メモリ１０４が格納しているデータ所在情報を変更できる。したがって、情報提供装置１０６においてデータ所在情報が変更された場合であっても、情報閲覧装置１００のユーザは、データ所在情報の変更を意識することなく、データ所在情報の変更の前後で同様に情報閲覧装置１００を利用できる。
【００５０】
図７は、本実施形態に係る情報提供システム１０の構成の第２変形例を示す。なお、図１および図７において、同一の構成要素には同一の符号が付されており、以下に説明する部分を除き、同一の構成要素は同一の機能および構造を有してよい。
【００５１】
図１から図６で説明した情報閲覧装置１００は、外部メモリ１０４がデータ所在情報４０８に対応づけて格納している変換アルゴリズム４１０に従って、情報提供装置１０６から受信した表示データを変換して表示部２００に表示させる。しかしながら、情報閲覧装置１００は、表示データを内部で変換せず、情報閲覧装置１００用に変換された表示データを受信してもよい。
【００５２】
そこで、本実施形態の第２変形例に係る情報提供システム１０は、表示データ変換装置７００を備える。表示データ変換装置７００は、通信網１０８を介して情報提供装置１０６および情報閲覧装置１００と接続されている。表示データ変換装置７００は、通信網１０８を介して情報閲覧装置１０２と接続されていてもよい。
【００５３】
外部メモリ１０４は、サイト種別４０２、アイコン画像４０４、および初期画面データ所在情報４０６に加え、表示データ変換装置７００のアドレス情報を格納している。情報閲覧装置１００は、外部メモリ１０４から取得した表示データ変換装置７００のアドレス情報を用いて、表示データ変換装置７００に表示データの変換を要求する。
【００５４】
表示データ変換装置７００は、外部メモリ１０４およびデータ処理部２０４の機能の少なくとも一部を備える。即ち、表示データ変換装置７００は、複数のデータ所在情報４０８のそれぞれに対応づけて、複数の変換アルゴリズム４１０を格納している。表示データ変換装置７００は、情報閲覧装置１００から送信されたデータ所在情報で示される所在に格納されている複数の表示データを、情報提供装置１０６から取得する。そして、表示データ変換装置７００は、取得した表示データを、対応するデータ所在情報４０８に対応づけて格納している変換アルゴリズム４１０に従って変換して、情報閲覧装置１００に提供する。
【００５５】
本実施形態の第２変形例に係る情報提供システム１０によれば、表示データ変換装置７００が表示データの変換を代理するので、情報閲覧装置１００の表示データの変換による負荷を軽減できる。したがって、情報閲覧装置１００における表示データの表示速度を向上させることできる。
【００５６】
図８は、本実施形態に係る情報閲覧装置１００のハードウェア構成の一例を示す。本実施形態に係る情報閲覧装置１００は、ホスト・コントローラ８８２により相互に接続されるＣＰＵ８０５、ＲＡＭ８２０、グラフィック・コントローラ８７５、および表示装置８８０を有するＣＰＵ周辺部を備える。情報閲覧装置１００は、入出力コントローラ８８４によりホスト・コントローラ８８２に接続される通信インターフェイス８３０、ハードディスクドライブ８４０、およびＣＤ−ＲＯＭドライブ８６０を有する入出力部を備える。さらに、情報閲覧装置１００は、入出力コントローラ８８４に接続されるＲＯＭ８１０、フレキシブルディスク・ドライブ８５０、および入出力チップ８７０を有するレガシー入出力部を備える。
【００５７】
ホスト・コントローラ８８２は、ＲＡＭ８２０と、高転送レートでＲＡＭ８２０をアクセスするＣＰＵ８０５およびグラフィック・コントローラ８７５とを接続する。ＣＰＵ８０５は、ＲＯＭ８１０およびＲＡＭ８２０に格納されたプログラムに基づいて動作して、各部を制御する。グラフィック・コントローラ８７５は、ＣＰＵ８０５等がＲＡＭ８２０内に設けたフレーム・バッファ上に生成する画像データを取得して、表示装置８８０上に表示させる。これに代えて、グラフィック・コントローラ８７５は、ＣＰＵ８０５等が生成する画像データを格納するフレーム・バッファを、内部に含んでもよい。
【００５８】
入出力コントローラ８８４は、ホスト・コントローラ８８２と、比較的高速な入出力装置である通信インターフェイス８３０、ハードディスクドライブ８４０、ＣＤ−ＲＯＭドライブ８６０を接続する。通信インターフェイス８３０は、ネットワークを介して他の装置と通信する。ハードディスクドライブ８４０は、情報閲覧装置１００内のＣＰＵ８０５が使用するプログラムおよびデータを格納する。ＣＤ−ＲＯＭドライブ８６０は、ＣＤ−ＲＯＭ８９５からプログラムまたはデータを読み取り、ＲＡＭ８２０を介してハードディスクドライブ８４０に提供する。
【００５９】
また、入出力コントローラ８８４には、ＲＯＭ８１０と、フレキシブルディスク・ドライブ８５０、および入出力チップ８７０の比較的低速な入出力装置とが接続される。ＲＯＭ８１０は、情報閲覧装置１００が起動時に実行するブート・プログラム、情報閲覧装置１００のハードウェアに依存するプログラム等を格納する。フレキシブルディスク・ドライブ８５０は、フレキシブルディスク８９０からプログラムまたはデータを読み取り、ＲＡＭ８２０を介してハードディスクドライブ８４０に提供する。入出力チップ８７０は、フレキシブルディスク・ドライブ８５０、例えばパラレル・ポート、シリアル・ポート、キーボード・ポート、マウス・ポート等を介して各種の入出力装置を接続する。
【００６０】
ＲＡＭ８２０を介してハードディスクドライブ８４０に提供されるコンテンツ提供プログラムは、フレキシブルディスク８９０、ＣＤ−ＲＯＭ８９５、またはＩＣカード等の記録媒体に格納されて利用者によって提供される。コンテンツ提供プログラムは、記録媒体から読み出され、ＲＡＭ８２０を介して情報閲覧装置１００内のハードディスクドライブ８４０にインストールされ、ＣＰＵ８０５において実行される。情報閲覧装置１００にインストールされて実行されるコンテンツ提供プログラムは、ＣＰＵ８０５等に働きかけて、情報閲覧装置１００を、図１から図７にかけて説明した各部として機能させる。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６２】
【図１】情報提供システム１０の構成を示す。
【図２】情報閲覧装置１００および外部メモリ１０４の機能構成を示す。
【図３】情報閲覧装置１００およびカセット３００の機能構成の変形例を示す。
【図４】外部メモリ１０４が格納しているデータを示す。
【図５】情報閲覧装置１００の動作フローおよび表示部２００の表示画面を示す。
【図６】情報提供システム１０の構成の第１変形例を示す。
【図７】情報提供システム１０の構成の第２変形例を示す。
【図８】情報閲覧装置１００のハードウェア構成を示す。
【符号の説明】
【００６３】
１０    情報提供システム
１００  情報閲覧装置
１０２  情報閲覧装置
１０４  外部メモリ
１０６  情報提供装置
１０８  通信網
２００  表示部
２０２  入力部
２０４  データ処理部
２０６  スロット部
２０８  通信部
２１０  通信制御部
２１２  上部表示パネル
２１４  下部表示パネル
２１６  タッチパネル
２１８  操作ボタン
３００  カセット
４００  サイト情報
４０２  サイト種別
４０４  アイコン画像
４０６  初期画面データ所在情報
４０８  データ所在情報
４１０  変換アルゴリズム
５５０  サイト選択画面
５６０  初期画面
５７０  初期画面
６００  データ所在情報追跡装置
７００  表示データ変換装置
８０５  ＣＰＵ
８１０  ＲＯＭ
８２０  ＲＡＭ
８３０  通信インターフェイス
８４０  ハードディスクドライブ
８５０  フレキシブルディスク・ドライブ
８６０  ＣＤ−ＲＯＭドライブ
８７０  入出力チップ
８７５  グラフィック・コントローラ
８８０  表示装置
８８２  ホスト・コントローラ
８８４  入出力コントローラ
８９０  フレキシブルディスク
８９５  ＣＤ−ＲＯＭ
【図１】
0004836929.tif 000002
【図２】
0004836929.tif 000003
【図３】
0004836929.tif 000004
【図４】
0004836929.tif 000005
【図５】
0004836929.tif 000006
【図６】
0004836929.tif 000007
【図７】
0004836929.tif 000008
【図８】
0004836929.tif 000009